(57)【要約】【課題】自動取引装置において、振り込め詐欺への対処が振込人になされるまでの時間を短縮する。【解決手段】振込人が振込金額および振込先を指定して現金を振り込む取引を、振込人から受け付ける自動取引装置であって、ネットワークを介してホストコンピュータと通信する通信部と；取引の処理をホストコンピュータに通信部を介して指示する指示部と；取引の受け付けを開始した後、振込人から情報の入力を受け付ける入力部と；情報の入力を受け付けた後、通信部がホストコンピュータと通信する前に、情報が設定条件に該当するか否かを判断する判断部と；情報が設定条件に該当する場合、通信部がホストコンピュータと通信する前に、情報が設定条件に該当する旨を、報知する報知部と；を備える。【選択図】図２
2015230572.tif 000002
【特許請求の範囲】
【請求項１】
振込人が振込金額および振込先を指定して現金を振り込む取引を、前記振込人から受け付ける自動取引装置であって、
ネットワークを介してホストコンピュータと通信する通信部と、
前記取引の処理を前記ホストコンピュータに前記通信部を介して指示する指示部と、
前記取引の受け付けを開始した後、前記振込人から情報の入力を受け付ける入力部と、
前記情報の入力を受け付けた後、前記通信部が前記ホストコンピュータと通信する前に、前記情報に基づいて前記取引が設定条件に該当するか否かを判断する判断部と、
前記取引が前記設定条件に該当する場合、前記通信部が前記ホストコンピュータと通信する前に、前記取引が前記設定条件に該当する旨を、報知する報知部と
を備える自動取引装置。
【請求項２】
請求項１に記載の自動取引装置であって、
前記入力部は、前記情報として、前記振込金額を示す情報を受け付け、
前記判断部は、前記情報が示す前記振込金額が設定金額を超える場合、前記取引が前記設定条件に該当すると判断する、自動取引装置。
【請求項３】
請求項２に記載の自動取引装置であって、
前記入力部は、前記情報として、前記振込金額を示す情報に加え、前記振込人の年齢を示す情報を受け付け、
前記判断部は、前記情報が示す前記振込金額が設定金額を超えるとともに、前記情報が示す前記振込人の年齢が設定年齢を超える場合、前記取引が前記設定条件に該当すると判断する、自動取引装置。
【請求項４】
前記報知部は、前記取引が前記設定条件に該当する旨を、前記自動取引装置を管理する管理者に報知する、請求項１に記載の自動取引装置。
【請求項５】
前記報知部は、前記自動取引装置を特定する情報を用いて、前記取引が前記設定条件に該当する旨を、報知する、請求項４に記載の自動取引装置。
【請求項６】
前記報知部は、前記取引が前記設定条件に該当する旨を、前記振込人に報知する、請求項１に記載の自動取引装置。
【請求項７】
前記報知部は、前記自動取引装置にネットワークを介して接続された遠隔報知部を通じて、前記取引が前記設定条件に該当する旨を、報知する、請求項１から請求項６までのいずれか一項に記載の自動取引装置。
【発明の詳細な説明】
【技術分野】
【０００１】
本発明は、自動取引装置に関する。
【背景技術】
【０００２】
自動取引装置は、所定の取引を実現するために利用者とのやり取りを行う。自動取引装置のひとつとして、現金自動取引装置（ＡＴＭ：Automated Teller Machine）が知られている。ＡＴＭは、ネットワークを介してホストコンピュータと通信することによって、現金の取引を実現する。ホストコンピュータは、ＡＴＭの利用者である顧客の口座情報を集積しており、ＡＴＭと協働して現金の取引を実現する。
【０００３】
近年、ＡＴＭでの都度振込を利用した振り込め詐欺が増加している。振り込め詐欺とは、振込人を欺いて、現金を振り込ませる詐欺行為である。都度振込は、現金の取引の一形態であり、利用者である振込人が振込金額および振込先を指定して現金を振り込む取引である。
【０００４】
特許文献１には、自動取引装置において振込人が入力した振込金額および振込先に基づくホストコンピュータの判断に応じて、自動取引装置において振込人に警告することが記載されている。
【先行技術文献】
【特許文献】
【０００５】
【特許文献１】特開２００７−１０２６２０号公報
【発明の概要】
【発明が解決しようとする課題】
【０００６】
特許文献１の自動取引装置では、ホストコンピュータによる判断を待った後、振込人に警告するため、振込人に対する対処（例えば、振り込め詐欺を予防する職員による対処）がなされるまで比較的に時間を要するという課題があった。そのため、振込人に対する対処がなされるまでの時間を短縮できる技術が望まれていた。
【課題を解決するための手段】
【０００７】
上記課題を解決するために、本発明の自動取引装置は、振込人が振込金額および振込先を指定して現金を振り込む取引を、前記振込人から受け付ける自動取引装置であって、ネットワークを介してホストコンピュータと通信する通信部と；前記取引の処理を前記ホストコンピュータに前記通信部を介して指示する指示部と；前記取引の受け付けを開始した後、前記振込人から情報の入力を受け付ける入力部と；前記情報の入力を受け付けた後、前記通信部が前記ホストコンピュータと通信する前に、前記情報に基づいて前記取引が設定条件に該当するか否かを判断する判断部と；前記取引が前記設定条件に該当する場合、前記通信部が前記ホストコンピュータと通信する前に、前記取引が前記設定条件に該当する旨を、報知する報知部と；を備える。
【発明の効果】
【０００８】
本発明の自動取引装置によれば、ホストコンピュータの判断を待つことなく、取引が設定条件に該当する旨を報知できる。したがって、振込人に対する対処がなされるまでの時間を短縮できる。例えば、振り込め詐欺を予防する対処を実施する条件を設定条件として設定した場合、振込人に振り込め詐欺を予防する対処がなされるまでの時間を短縮できる。上記した以外の課題、構成及び効果は、以下の実施形態の説明により明らかにされる。
【図面の簡単な説明】
【０００９】
【図１】自動取引システムの構成を示す説明図である。
【図２】自動取引装置の構成を示す説明図である。
【図３】ホストコンピュータの構成を示す説明図である。
【図４】自動取引装置が実行する振込受付処理を示すフローチャートである。
【図５】自動取引装置が実行する振込受付処理を示すフローチャートである。
【図６】金額入力画面の構成を示す説明図である。
【図７】第２実施形態における自動取引装置が実行する振込受付処理を示すフローチャートである。
【図８】年齢入力画面の構成を示す説明図である。
【発明を実施するための形態】
【００１０】
Ａ．第１実施形態：
図１は、自動取引システム１０の構成を示す説明図である。自動取引システム１０は、利用者との間で行われる所定の取引を実現する。本実施形態では、自動取引システム１０は、金融機関（例えば、銀行、信用金庫など）で運用されるシステムである。本実施形態では、自動取引システム１０は、利用者と金融機関との間で行われる金融取引を処理する。
【００１１】
自動取引システム１０は、自動取引装置１２と、ネットワーク２０と、ホストコンピュータ３０と、ネットワーク４０と、報知装置５０とを備える。本実施形態では、自動取引システム１０において、自動取引装置１２および報知装置５０は、金融機関の各店舗１４に設置され、ホストコンピュータ３０は、各店舗１４を統括する管理施設３４に設置されている。図１には、１つの店舗１４に設置された１つの自動取引装置１２が記載されているが、実際には、複数の店舗１４にそれぞれ設置された複数の自動取引装置１２がネットワーク２０を介してホストコンピュータ３０に接続されている。本実施形態では、ネットワーク２０は、店舗１４と管理施設３４との間を通信可能に接続する広域コンピュータネットワークである。本実施形態では、ネットワーク４０は、各店舗１４に設置されたローカルエリアネットワークである。
【００１２】
自動取引システム１０の自動取引装置１２は、所定の取引を実現するために利用者とのやり取りを行う。本実施形態では、自動取引装置１２は、ネットワーク２０を介してホストコンピュータ３０と通信し、ホストコンピュータ３０と協働して所定の取引を実現する。本実施形態では、自動取引装置１２は、利用者と金融機関との間の金融取引を実現するために利用者とのやり取りを行う現金自動取引装置（ＡＴＭ：Automated Teller Machine）である。本実施形態では、自動取引装置１２は、振り込め詐欺を予防する対策として、取引において振り込め詐欺である蓋然性が高い場合に報知を行う。
【００１３】
図２は、自動取引装置１２の構成を示す説明図である。自動取引装置１２は、制御部１００と、ユーザインタフェース２００と、カード機構部２１０と、明細票機構部２２０と、通帳機構部２３０と、紙幣入出金機構部２４０と、硬貨入出金機構部２５０とを備える。
【００１４】
自動取引装置１２のユーザインタフェース２００は、利用者との間で情報をやり取りする。本実施形態では、ユーザインタフェース２００は、画像を表示するとともに、その画像上で利用者から指示の入力を受け付けるタッチパネルである。他の実施形態では、ユーザインタフェース２００は、利用者から指示の入力を受け付ける押しボタンを備えてもよい。他の実施形態では、ユーザインタフェース２００は、音声に基づいて利用者から指示の入力を受け付けてもよい。
【００１５】
自動取引装置１２の制御部１００は、自動取引装置１２の各部を制御する。自動取引装置１２の制御部１００は、入力部１１０と、指示部１２０と、通信部１３０と、判断部１４０と、報知部１５０と、通信部１６０とを備える。本実施形態では、制御部１００における各部の機能は、コンピュータプログラムに基づいてＣＰＵ（Central Processing Unit）が動作することによってソフトウェア的に実現される。他の実施形態では、制御部１００の機能の少なくとも一部は、制御部１００が備える回路構成に基づいてハードウェア的に実現されてもよい。
【００１６】
制御部１００の入力部１１０は、利用者から情報の入力を受け付ける。本実施形態では、入力部１１０は、ユーザインタフェース２００を介して利用者から情報の入力を受け付ける。本実施形態では、入力部１１０が受け付ける情報は、金融取引に利用される情報（例えば、振込人を特定する情報、振込金額を示す情報、振込先を特定する情報など）である。
【００１７】
制御部１００の指示部１２０は、取引の処理をホストコンピュータ３０に通信部１３０を介して指示する。本実施形態では、処理すべき金融取引に必要な情報の全てが揃った後、指示部１２０は、利用者の操作に基づいて、その金融取引の処理をホストコンピュータ３０に通信部１３０を介して指示する。
【００１８】
制御部１００の判断部１４０は、入力部１１０が情報の入力を受け付けた後、通信部１３０がホストコンピュータ３０と通信する前に、入力部１１０が受け付けた情報に基づいて、取引が設定条件に該当するか否かを判断する。本実施形態では、設定条件は、振り込め詐欺である蓋然性が高いことである。本実施形態では、判断部１４０は、入力部１１０が受け付けた情報が示す振込金額が設定金額を超える場合、金融取引が設定条件に該当すると判断する。
【００１９】
制御部１００の報知部１５０は、取引が設定条件に該当する場合、通信部１３０がホストコンピュータ３０と通信する前に、取引が設定条件に該当する旨を報知する。本実施形態では、報知部１５０は、金融取引が設定条件に該当する旨を、自動取引装置１２を管理する店舗１４の管理者に報知する。本実施形態では、報知部１５０は、自動取引装置１２にネットワーク４０を介して接続された報知装置５０を通じて、金融取引が設定条件に該当する旨を、報知する。
【００２０】
制御部１００の通信部１３０は、ネットワーク２０を介してホストコンピュータ３０と通信するインタフェースである。自動取引装置１２の通信部１６０は、ネットワーク４０を介して報知装置５０と通信するインタフェースである。
【００２１】
自動取引装置１２のカード機構部２１０は、利用者を認証する情報が記録されたカード（本実施形態では、いわゆるキャッシュカード）を取り扱う。自動取引装置１２の明細票機構部２２０は、取引内容を印字した明細票を発行する。自動取引装置１２の通帳機構部２３０は、取引履歴を記載するための取引通帳を取り扱う。自動取引装置１２の紙幣入出金機構部２４０は、紙幣の入金および出金を取り扱う。自動取引装置１２の硬貨入出金機構部２５０は、硬貨の入金および出金を取り扱う。
【００２２】
図３は、ホストコンピュータ３０の構成を示す説明図である。自動取引システム１０のホストコンピュータ３０は、自動取引装置１２において利用者から受け付けられた所定の取引を処理する。本実施形態では、ホストコンピュータ３０は、金融機関の口座情報を管理するサーバであり、自動取引装置１２において利用者から受け付けられた金融取引を処理する。ホストコンピュータ３０は、ホストコンピュータ制御部３２０と、通信部３３０と、記憶部３４０とを備える。
【００２３】
ホストコンピュータ３０のホストコンピュータ制御部３２０は、ホストコンピュータ３０の各部を制御する。ホストコンピュータ３０の通信部３３０は、ネットワーク２０を介して自動取引装置１２と通信するインタフェースである。ホストコンピュータ３０の記憶部３４０は、金融機関の口座情報を記録した口座データベース３４２を記憶する。
【００２４】
自動取引システム１０の報知装置５０は、自動取引装置１２にネットワーク４０を介して接続され、自動取引装置１２からの指示に応じて、取引が設定条件に該当する旨を報知する遠隔報知部である。本実施形態では、報知装置５０は、反射鏡によって発光の向きを変化させる回転灯であり、自動取引装置１２からの指示に応じて発光する。他の実施形態では、報知装置５０は、自動取引装置１２からの指示に応じて画像を表示してもよいし、自動取引装置１２からの指示に応じて音声を出力してもよい。
【００２５】
図４および図５は、自動取引装置１２が実行する振込受付処理を示すフローチャートである。本実施形態では、自動取引装置１２の制御部１００は、金融取引として振込取引の実施を利用者が希望している旨を、ユーザインタフェース２００を通じて利用者から受け付けた場合、図４および図５の振込受付処理を開始する。
【００２６】
振込受付処理を開始した後、制御部１００は、実施すべき振込取引の形態を示す指示の入力を、利用者である振込人から受け付ける（ステップＳ１００）。本実施形態では、制御部１００は、ユーザインタフェース２００を通じて、振込取引の形態を示す指示の入力を振込人から受け付ける。本実施形態では、制御部１００は、ユーザインタフェース２００に、振込取引の形態を選択させる選択画面を表示し、その選択画面上で振込人から指示の入力を受け付ける。本実施形態では、振込取引の形態は、振込人が振込金額および振込先を指定して現金を振り込む都度振込、ホストコンピュータ３０に登録済みの振込先に現金を振り込む振込取引、振込カードに記録された振込先に現金を振り込む振込取引を含む。
【００２７】
振込人が都度振込とは異なる他の振込取引を選択した場合（ステップＳ１０２：「ＮＯ」）、制御部１００は、他の振込取引を受け付ける他の振込処理を実行する（ステップＳ１０４）。その後、制御部１００は、振込受付処理を終了する。
【００２８】
振込人が都度振込を選択した場合（ステップＳ１０２：「ＹＥＳ」）、制御部１００は、振込人から情報の入力を受け付ける入力処理（ステップＳ１０６）を行う。本実施形態では、入力処理（ステップＳ１０６）において、制御部１００は、ユーザインタフェース２００を通じて、振込金額を示す情報を、振込人から受け付ける。
【００２９】
図６は、金額入力画面２００ａの構成を示す説明図である。金額入力画面２００ａは、入力処理（ステップＳ１０６）において制御部１００の指示に基づいてユーザインタフェース２００に表示される画面である。金額入力画面２００ａは、メッセージ表示部４００と、金額表示部４０２と、金額入力ボタン部４０４，４０６，４０８，４１０と、訂正ボタン部４１２と、確認ボタン部４１４とを備える。
【００３０】
メッセージ表示部４００は、振込人に振込金額の入力を促すメッセージを表示する。金額表示部４０２は、振込人から入力を受け付けた振込金額を表示する。金額入力ボタン部４０４，４０６，４０８，４１０は、振込人から振込金額の入力を受け付ける。訂正ボタン部４１２は、振込人から振込金額の訂正を受け付ける。確認ボタン部４１４は、振込人から振込金額の確定を受け付ける。
【００３１】
図４の説明に戻り、入力処理（ステップＳ１０６）を行った後、制御部１００は、判断処理（ステップＳ１０８）を行う。本実施形態では、判断処理（ステップＳ１０８）において、制御部１００が受け付けた情報が示す振込金額が設定金額（例えば、１０万円）を超える場合、振込人が行おうとしている振込取引が設定条件に該当すると判断する。本実施形態では、設定金額は、自動取引装置１２の管理者によって予め設定されている。他の実施形態では、設定金額は、ホストコンピュータ３０によって予め設定されてもよい。
【００３２】
振込金額が設定金額を超える場合（ステップＳ１０８：「ＹＥＳ」）、制御部１００は、通信部１３０を介してホストコンピュータ３０と通信する前に、振込人が行おうとしている振込取引が設定条件に該当する旨を報知する報知処理（ステップＳ１１０）を行う。本実施形態では、制御部１００は、報知装置５０を通じて報知する。
【００３３】
本実施形態では、報知処理（ステップＳ１１０）において、制御部１００は、振込人が行おうとしている振込取引が設定条件（振り込め詐欺である蓋然性が高いこと）に該当する旨を、自動取引装置１２を管理する管理者（金融機関の職員）に報知する。本実施形態では、報知装置５０は、店舗１４内において管理者が常駐している場所に設置されており、管理者は、報知装置５０による報知に基づいて、振り込め詐欺を予防する対処（例えば、声がけ）を振込人に対して実施できる。これによって、振り込め詐欺を予防できる。
【００３４】
報知処理を行った場合（ステップＳ１１０）、もしくは、振込金額が設定金額を超えない場合（ステップＳ１０８：「ＮＯ」）、制御部１００は、振込先金融機関を示す指示の入力を、振込人から受け付ける（ステップＳ１１２）。本実施形態では、制御部１００は、ユーザインタフェース２００を通じて、振込先金融機関を示す指示の入力を振込人から受け付ける。本実施形態では、制御部１００は、ユーザインタフェース２００に、振込先金融機関を選択させる選択画面を表示し、その選択画面上で振込人から指示の入力を受け付ける。
【００３５】
振込先金融機関の入力を受け付けた後（ステップＳ１１２）、制御部１００は、振込先支店を示す指示の入力を、振込人から受け付ける（ステップＳ１１４）。本実施形態では、制御部１００は、ユーザインタフェース２００を通じて、振込先支店を示す指示の入力を振込人から受け付ける。本実施形態では、制御部１００は、ユーザインタフェース２００に、振込先支店を選択させる選択画面を表示し、その選択画面上で振込人から指示の入力を受け付ける。
【００３６】
振込先支店の入力を受け付けた後（ステップＳ１１４）、制御部１００は、振込先口座科目を示す指示の入力を、振込人から受け付ける（ステップＳ１１６）。本実施形態では、制御部１００は、ユーザインタフェース２００を通じて、振込先口座科目を示す指示の入力を振込人から受け付ける。本実施形態では、制御部１００は、ユーザインタフェース２００に、振込先口座科目を選択させる選択画面を表示し、その選択画面上で振込人から指示の入力を受け付ける。
【００３７】
振込先口座科目の入力を受け付けた後（ステップＳ１１６）、制御部１００は、振込先口座番号を示す指示の入力を、振込人から受け付ける（ステップＳ１１８）。本実施形態では、制御部１００は、ユーザインタフェース２００を通じて、振込先口座番号を示す指示の入力を振込人から受け付ける。本実施形態では、制御部１００は、ユーザインタフェース２００に、振込先口座番号を入力させる入力画面を表示し、その入力画面上で振込人から指示の入力を受け付ける。
【００３８】
振込先口座番号の入力を受け付けた後（ステップＳ１１８）、制御部１００は、振込人から受け付けた振込内容について、訂正の有無を示す指示の入力を、振込人から受け付ける（ステップＳ１２０）。本実施形態では、制御部１００は、ユーザインタフェース２００を通じて、訂正の有無を示す指示の入力を振込人から受け付ける。本実施形態では、制御部１００は、ユーザインタフェース２００に、訂正の有無を選択させる選択画面を表示し、その選択画面上で振込人から指示の入力を受け付ける。
【００３９】
振込内容について訂正ありを示す入力を受け付けた場合（ステップＳ１２２：「ＮＯ」）、制御部１００は、振込先金融機関の入力を受け付ける処理（ステップＳ１１２）からの各処理を繰り返し実行する。
【００４０】
振込内容について訂正なしを示す入力を受け付けた場合（ステップＳ１２２：「ＹＥＳ」）、制御部１００は、通信部１３０を介してホストコンピュータ３０と通信し、ホストコンピュータ３０に振込内容を照会する（ステップＳ１２４）。
【００４１】
振込内容を照会した後（ステップＳ１２４）、制御部１００は、振込内容について、訂正の有無を示す指示の入力を、振込人から受け付ける（ステップＳ１２６）。
【００４２】
振込内容について訂正ありを示す入力を受け付けた場合（ステップＳ１２８：「ＮＯ」）、制御部１００は、振込先金融機関の入力を受け付ける処理（ステップＳ１１２）からの各処理を繰り返し実行する。
【００４３】
振込内容について訂正なしを示す入力を受け付けた場合（ステップＳ１２８：「ＹＥＳ」）、制御部１００は、振込内容に基づく取引の処理をホストコンピュータ３０に通信部１３０を介して指示する指示処理（ステップＳ１３０）を行う。指示処理（ステップＳ１３０）を行った後、制御部１００は、図４および図５の振込受付処理を終了する。
【００４４】
以上説明した第１実施形態によれば、通信部１３０を介してホストコンピュータ３０と通信する前に、振込人が行おうとしている振込取引が設定条件に該当する旨を報知できる。したがって、ホストコンピュータ３０の判断を待つことなく、振込人が行おうとしている振込取引が設定条件に該当する旨を報知できる。その結果、振込人に対する対処がなされるまでの時間を短縮できる。
【００４５】
また、振り込め詐欺を予防する対処を実施する金額を設定金額として設定しておき、振込人から受け付けた振込金額が設定金額を超える場合、振込人が行おうとしている振込取引が設定条件に該当すると判断できる。したがって、振込人に振り込め詐欺を予防する対処を振込金額に基づいて行うことができる。
【００４６】
また、振込人が行おうとしている振込取引が設定条件に該当する旨を、自動取引装置１２を管理する管理者に報知できる。したがって、振込人に対する振り込め詐欺を予防する対処を管理者に促すことが出来る。
【００４７】
また、自動取引装置１２にネットワーク４０を介して接続された遠隔報知部である報知装置５０を通じて、振込人が行おうとしている振込取引が設定条件に該当する旨を報知できる。したがって、自動取引装置１２から離れた場所で報知できる。
【００４８】
Ｂ．第２実施形態：
第２実施形態における自動取引装置１２は、振込人の年齢および振込金額に基づいて報知する点を除き、第１実施形態と同様である。
【００４９】
図７は、第２実施形態における自動取引装置１２が実行する振込受付処理を示すフローチャートである。第２実施形態の振込受付処理は、入力処理（ステップＳ１０６）から判断処理（ステップＳ１０８）までの処理が異なる点を除き、第１実施形態の振込受付処理と同様である。
【００５０】
自動取引装置１２の制御部１００は、振込人が都度振込を選択した場合（ステップＳ１０２：「ＹＥＳ」）、振込人から情報の入力を受け付ける入力処理（ステップＳ２０６）を行う。本実施形態では、入力処理（ステップＳ２０６）において、制御部１００は、ユーザインタフェース２００を通じて、振込人の年齢を示す情報を振込人から受け付ける。
【００５１】
図８は、年齢入力画面２００ｂの構成を示す説明図である。年齢入力画面２００ｂは、入力処理（ステップＳ２０６）において制御部１００の指示に基づいてユーザインタフェース２００に表示される画面である。年齢入力画面２００ｂは、メッセージ表示部５００と、年齢選択ボタン部５０２，５０４と、確認ボタン部５１４とを備える。
【００５２】
メッセージ表示部５００は、振込人に振込人の年齢の入力を促すメッセージを表示する。年齢選択ボタン部５０２，５０４は、振込人から振込人の年齢の入力を受け付ける。本実施形態では、年齢選択ボタン部５０２は、振込人の年齢が６０才以上であることを示す情報を受け付け、年齢選択ボタン部５０４は、振込人の年齢が６０才未満であることを示す情報を受け付ける。確認ボタン部５１４は、振込人から振込人の年齢の確定を受け付ける。
【００５３】
図７の説明に戻り、入力処理（ステップＳ２０６）を行った後、制御部１００は、入力処理（ステップＳ２０８）を行う。第２実施形態の入力処理（ステップＳ２０８）は、第１実施形態の入力処理（ステップＳ１０６）と同様である。他の実施形態では、制御部１００は、入力処理（ステップＳ２０６）に先立って、入力処理（ステップＳ２０８）を、行ってもよい。
【００５４】
入力処理（ステップＳ２０８）を行った後、制御部１００は、判断処理（ステップＳ２１０）を行う。本実施形態では、判断処理（ステップＳ２１０）において、制御部１００は、振込人の年齢が設定年齢を超えるとともに振込金額が設定金額を超える場合、振込人が行おうとしている振込取引が設定条件に該当すると判断する。本実施形態では、設定年齢は６０才である。本実施形態では、設定年齢および設定金額は、自動取引装置１２の管理者によって予め設定されている。他の実施形態では、設定年齢および設定金額は、ホストコンピュータ３０によって予め設定されてもよい。
【００５５】
振込人の年齢が設定年齢を超えるとともに振込金額が設定金額を超える場合（ステップＳ２１０：「ＹＥＳ」）、制御部１００は、通信部１３０を介してホストコンピュータ３０と通信する前に、第１実施形態と同様に報知処理（ステップＳ１１０）を行う。
【００５６】
報知処理を行った場合（ステップＳ１１０）、もしくは、振込人が行おうとしている振込取引が設定条件に該当しない場合（ステップＳ２１０：「ＮＯ」）、制御部１００は、第１実施形態と同様に、振込先金融機関を受け付ける処理（ステップＳ１１２）以降の各処理を行う。
【００５７】
以上説明した第２実施形態によれば、第１実施形態と同様に、通信部１３０を介してホストコンピュータ３０と通信する前に、振込人が行おうとしている振込取引が設定条件に該当する旨を報知できる。したがって、ホストコンピュータ３０の判断を待つことなく、振込人が行おうとしている振込取引が設定条件に該当する旨を報知できる。その結果、振込人に対する対処がなされるまでの時間を短縮できる。
【００５８】
また、振り込め詐欺を予防する対処を実施する年齢を設定年齢として設定するとともに、振り込め詐欺を予防する対処を実施する金額を設定金額として設定しておき、振込人の年齢が設定年齢を超えるとともに振込金額が設定金額を超える場合、振込人が行おうとしている振込取引が設定条件に該当すると判断できる。したがって、振込人の年齢および振込金額に基づいて、振込人に振り込め詐欺を予防する対処を行うことができる。
【００５９】
Ｃ．その他の実施形態：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【００６０】
報知部１５０は、自動取引装置１２を特定する情報を用いて、取引が設定条件に該当する旨を報知してもよい。これによって、設定条件に該当する取引を受け付けた自動取引装置を報知先において特定できる。例えば、自動取引装置１２を特定する情報は、複数の自動取引装置１２の各々に割り当てられた固有の符号であってもよい。
【００６１】
報知部１５０は、取引が設定条件に該当する旨を利用者に報知してもよい。これによって、取引が設定条件に該当する場合、利用者に対して直接的に注意力を喚起する対処を実施できる。
【００６２】
報知の判断に用いる情報は、振込金額および振込人の年齢に限らず、振込人の性別、振込人の世帯、振込人の職業、並びに、振込先との関係などの情報のうち少なくとも１つであってもよい。
【００６３】
自動取引装置は、インターネットバンキングに用いられるパーソナルコンピュータであってもよく、この場合、予め登録されたメールアドレスや電話に報知してもよい。
【符号の説明】
【００６４】
１０…自動取引システム
１２…自動取引装置
１４…店舗
２０…ネットワーク
３０…ホストコンピュータ
３４…管理施設
４０…ネットワーク
５０…報知装置
１００…制御部
１１０…入力部
１２０…指示部
１３０…通信部
１４０…判断部
１５０…報知部
１６０…通信部
２００…ユーザインタフェース
２００ａ…金額入力画面
２００ｂ…年齢入力画面
２１０…カード機構部
２２０…明細票機構部
２３０…通帳機構部
２４０…紙幣入出金機構部
２５０…硬貨入出金機構部
３２０…ホストコンピュータ制御部
３３０…通信部
３４０…記憶部
３４２…口座データベース
４００…メッセージ表示部
４０２…金額表示部
４０４，４０６，４０８，４１０…金額入力ボタン部
４１２…訂正ボタン部
４１４…確認ボタン部
５００…メッセージ表示部
５０２，５０４…年齢選択ボタン部
５１４…確認ボタン部
【図１】
2015230572.tif 000003
【図２】
2015230572.tif 000004
【図３】
2015230572.tif 000005
【図４】
2015230572.tif 000006
【図５】
2015230572.tif 000007
【図６】
2015230572.tif 000008
【図７】
2015230572.tif 000009
【図８】
2015230572.tif 000010